(57)【要約】本発明は、レール状の接続導体（４）を介して相応の接続手段（８）と接続されている少なくとも１つの固定の接点（４）と可動の接点（１２）とを有する少なくとも１つの接点システム（２）と、並びに側方からこの接点システム（２）に隣接する制限壁（１６）とを有し、その際、固定の接点（４）と接続導体（６）との間に、側方から可動の接点（１２）の開放領域の周りに巡らされた少なくとも１つのループ状の導体部分（１４）が配設されている電流制限サーキットブレーカに関する。製造費用及び空間必要量を低下させるため、少なくとも１つの導体部分（１４）と付属する側方の制限壁（１６）とが、一体的にＭＩＤとして形成されている。
2004526292.tif 000002
【特許請求の範囲】
【請求項１】
−レール状の接続導体（４）を介して相応の接続手段（８）と接続されている少なくとも１つの固定の接点（４）を有し、操作機構を介して、この少なくとも１つの固定の接点（４）との接続状態の内外へと移行可能である可動の接点（１２）を有する少なくとも１つの接点システム（２）と、
−側方からこの少なくとも１つの接点システム（２）に隣接する制限壁（１６）と、
を包含し、その際、固定の接点（４）と接続導体（６）との間に、側方から可動の接点（１２）の開放領域の周りに巡らされた少なくとも１つのループ状の導体部分（１４）が配設されている電流制限サーキットブレーカにおいて、
少なくとも１つの導体部分（１４）と付属する側方の制限壁（１６）とが、一体的にＭＩＤとして形成されていることを特徴とする電流制限サーキットブレーカ。
【請求項２】
導体部分（１４）が、付属する制限壁（１６）の電気めっきされた部分であることを特徴とする請求項１に記載の電流制限サーキットブレーカ。
【請求項３】
導体部分（１４）が、背面コーティングされた合成物質箔上に配設されていることを特徴とする請求項１に記載の電流制限サーキットブレーカ。
【請求項４】
導体部分（１４）が、直接押出しコーティングされた金属軌道であることを特徴とする請求項１に記載の電流制限サーキットブレーカ。
【請求項５】
接続導体（６）とこの接続導体を少なくとも部分的に取り囲む絶縁物質ハウジングの合成物質とが、一体的にＭＩＤとして形成されていることを特徴とする請求項１〜４のいずれか１つに記載の電流制限サーキットブレーカ。
【請求項６】
固定の接点（４）の部分と、この接点を部分的に取り囲む絶縁物質ハウジングの合成物質とが、一体的にＭＩＤとして形成されていることを特徴とする請求項１〜５のいずれか１つに記載の電流制限サーキットブレーカ。
【発明の詳細な説明】
【技術分野】
【０００１】
本発明は、請求項１の上位概念による電流制限サーキットブレーカに関する。
【背景技術】
【０００２】
特許文献１からは、この様式の、レール状の導体を介して相応の接続ターミナルと接続されている少なくとも１つの固定の接点を有し、操作機構を介してこの固定の接点との接続状態の内外へと移行可能である軸を中心として旋回可能な少なくとも１つの可動の接点を有する少なくとも１つの接点システムを有するサーキットブレーカが公知であり、その際、固定の接点は、短絡した場合に、この固定の接点と電流が貫流する可動の接点との間に、可動の接点を固定の接点からの開放状態へと移行させる電気力学的な斥力が生じるように形成されている。レール状の導体は、少なくとも半分だけループ状に側方から可動の接点の周りに巡らされ、従って、短絡電流が貫流するループ状の導体部分は、電気力学的に生じた付加的な開放回転モーメントを、可動の接点に、その全開放領域にわたって作用させ、並びに高いブローフィールドを、発生するアークに、その加速された接点領域からの放出のために作用させる。もっとも、ループ状でレール状の導体は、不利な方法では、高い製造費用、これと結びついた高いコスト、並びにサーキットブレーカの大きな構造幅を、結果として伴う。
【０００３】
更に、特許文献２からは、一体化された接触手段及び少なくとも２つの異なった合成物質成分を有する電気的な機器、特に命令及び告知機器、のための絶縁物質ハウジングが公知であり、その際、一方の合成物質成分は、外側のハウジング部分を構成し、かつ金属被膜処理可能でなく、並びに少なくとも一方の別の合成物質成分は、金属被膜処理可能であり、かつハウジング部分の内側で、電気伝導接続部を構成し、その際、金属被膜処理された合成物質成分の少なくとも１つの領域は、弾性的な接点アームとして形成されている。
【特許文献１】
独国特許出願公開第１９６２９８６７号明細書
【特許文献２】
独国実用新案第２９８００７８０号明細書
【発明の開示】
【発明が解決しようとする課題】
【０００４】
本発明の基本にある課題は、ループ状の導体部分を装備されたサーキットブレーカのために、製造費用及び空間必要量を低下させることである。
【課題を解決するための手段】
【０００５】
冒頭で述べた様式の電流制限サーキットブレーカから出発して、この課題は、本発明によれば、独立請求項を特徴付ける特徴によって解決され、一方、従属請求項からは、本発明の有利な発展構成を読み取ることができる。
【０００６】
少なくとも１つのループ状の導体部分の付属する側方の制限壁とのＭＩＤ（Ｍｏｌｄｅｄ  Ｉｎｔｅｒｃｏｎｎｅｃｔ  Ｄｅｖｉｃｅ）としての構成は、簡略化され、これにより安価な製造を、ループ状の導体部分のための軽減された加工及び固定費用によって得られる。ループ状の導体部分を付属する制限壁へと一体化することによって、従来技術によれば必要な接触空間に対する絶縁が省略され、これは、サーキットブレーカの構造幅を低下させる。
【０００７】
ＭＩＤは、有利なことに、絶縁物質ハウジングもしくは相応の絶縁物質ハウジングの部分の金属被膜処理をされた合成物質領域として、又は絶縁物質ハウジングもしくは相応の部分の形状付与プロセスの前に直接成形材料内へとセットすべき導体軌道を備えている背面コーティングされた合成物質箔として、又は直接押出しコーティングされた金属の、特に銅から成る導体軌道として構成することができる。これ等の構成は、それ自身公知のＭＩＤ技術により実現可能である。
【０００８】
本発明の有利な発展構成は、固定の接点と接続手段との間の接続導体及び／又は固定の接点の部分が、相応の少なくとも部分的に取り囲む合成物質と共にＭＩＤとして構成されている点にある。
【発明を実施するための最良の形態】
【０００９】
本発明の更なる詳細及び利点を、図面を基にして説明される以下の実施例から明らかにする。
【００１０】
図１には、ｚ軸を中心として点対象で、ｘｙ平面に対して鏡面対象の、その他の点は通常のサーキットブレーカの接点システム２の第４の部分が図示されているに過ぎない。この場合、ｚ軸は、垂直に、焦平面（Ｂｉｌｄｅｂｅｎｅ）と一致するｘｙ平面上に立っている。
【００１１】
接点システム２は、２つの固定の接点４を有し、これ等の接点は、直接もしくは間接的に解除手段を介して、それぞれ１つのレール状の接続導体６を介して相応の接続手段８と接続されている。更に、接点システム２は、旋回軸１０を中心として支承された二本腕の可動の接点１２を有し、この接点は、通常の方法で、操作機構を介して、固定の接点４との接続状態の内外へと移行可能である。固定の接点４と接続導体６との間には、全部で４つのループ状の導体部分１４が形成されており、これらの導体部分は、向かい合って位置する二本腕の可動の接点１２の開放領域の両側へと巡らされており、その際、図１には、４つの導体部分１４の１つしか図示されてない。接点システム２は、両側が制限壁１６によって制限され、これらの制限壁は、サーキットブレーカの絶縁物質ハウジングの構成要素であり、同時に隣接する電流段階の接点システムに対する絶縁材である。ループ状の導体部分１４は、付属する制限壁１６へと、その形状付与の間に、またＭＩＤ技術を応用して、埋設されている。
【００１２】
本発明は、上で説明した実施形に制限されているのではなく、本発明の意味で同じ作用をする全ての実施形も含む。従って、導体部分１４は、無条件に、図１で選択された形を備える必要はなく、いずれにしても導体部分１４によって、開放特性及びアークに短絡した場合に肯定的な意味で影響を与える電流ループが形成される限りは、円形等に形成することもできる。本発明は、例えば、接続導体６及びもしくは又は固定の接点４の部分が隣接する合成物質と共にＭＩＤとして形成されているように更に形成することもできる。
【図面の簡単な説明】
【００１３】
【図１】簡略化された透視図に、もはやこれ以上は図示されてない本発明によるサーキットブレーカの接点システムを示す。
【符号の説明】
【００１４】
２      接点システム
４      固定の接点
６      接続導体
８      接続手段
１０    旋回軸
１２    可動の接点
１４    導体部分
１６    制限壁
【国際公開パンフレット】
2004526292.tif 000003
2004526292.tif 000004
2004526292.tif 000005
2004526292.tif 000006
2004526292.tif 000007
2004526292.tif 000008
2004526292.tif 000009
2004526292.tif 000010
2004526292.tif 000011
【国際調査報告】
2004526292.tif 000012
2004526292.tif 000013
2004526292.tif 000014
2004526292.tif 000015